(57)【要約】【課題】浴槽や浴室表面を、純水を用いて洗浄する洗浄装置の提供。【解決手段】洗浄装置１は持ち手２とその上端部にシリンダー５を備えると共に該シリンダーの先端には純水及びエアーが噴射する噴射ノズル３を取付けている。上記シリンダー５の中心軸部に設けた穴にはピストン６とスライダー７が往復動出来るように嵌り、ピストン６の後端は該スライダー７に連結し、そして、上記持ち手２に収容したモーター１１の主軸１２の回転にて上記スライダー７を往復動可能に連動する。上記シリンダー５には純水とエアーを供給することが出来る供給ホース４を繋ぎ、供給ホース４には切替え部を設けて上記純水又はエアーが流れるように切替えることが出来るようにしている。【選択図】図２
2020014631.tif 000002
【特許請求の範囲】
【請求項１】
浴槽や浴室表面を洗浄する洗浄装置において、該洗浄装置は持ち手とその上端部にシリンダーを備えると共に該シリンダーの先端には純水及びエアーが噴射する噴射ノズルを取付けて構成し、上記シリンダーの中心軸部に設けた穴にはピストンとスライダーが往復動出来るように嵌り、ピストンの後端は該スライダーに連結し、そして、上記持ち手に収容したモーターの主軸の回転にて上記スライダーを往復動可能に連動し、上記シリンダーには純水とエアーを供給することが出来る供給ホースを繋ぎ、シリンダーに設けた供給穴を介してピストンが嵌る穴に連通し、上記供給ホースには切替え部を設けて上記純水又はエアーが流れるように切替えることが出来るようにしたことを特徴とする浴槽及び浴室の洗浄装置。
【請求項２】
上記モーターの主軸の回転をスライダーの往復動に変換する機構として、モーターの主軸にはカムリングを取着すると共に、該カムリングからは距離ａだけ偏心した偏心軸を起立し、この偏心軸を上記スライダーに係合した請求項１記載の浴槽及び浴室の洗浄装置。
【請求項３】
浴槽や浴室表面を洗浄する為に天井部に噴射ノズルを取付けて純水及びエアーが噴射するようにした浴室において、浴室に設けた収容空間には純水生成器を配置して開閉扉を取付け、該純水生成器への流入ホースは水道管に連結し、純水生成器からの流出ホースは上記噴射ノズルへ純水を供給する供給ホースに繋いだ構造とし、上記噴射ノズルはシリンダー先端に設け、シリンダーの中心軸部に設けた穴にはピストンとスライダーが往復動出来るように嵌り、ピストンの後端は該スライダーに連結し、モーターの主軸の回転にて上記スライダーを往復動可能に連動し、上記シリンダーには純水とエアーを供給することが出来る供給ホースを繋ぎ、シリンダーに設けた供給穴を介してピストンが嵌る穴に連通し、浴室壁面には切替え部を取付けて上記供給ホースに純水又はエアーが流れるように切替えることが出来るように構成し、噴射ノズルから純水生成器にて生成される純水及びエアーを噴射するようにしたことを特徴とする浴室。
【請求項４】
浴槽や浴室表面を洗浄する為に天井部にノズルを取付けて純水及びエアーが噴射するようにした浴室において、浴室に設けた収容空間には純水生成器を配置して開閉扉を取付け、該純水生成器への流入ホースは水道管に接続し、純水生成器からの流出ホースは天井に配管したパイプと連結し、該パイプに設けたノズルから純水を噴出して浴室表面に噴射可能出来るように構成し、
浴室には切替え部を取付けて上記天井パイプからエアーが流れるように切替え可能としたことを特徴とする浴室。
【請求項５】
上記浴室床部にもパイプを配管し、パイプに設けたノズルから純水及びエアーを噴射するようにした請求項４記載の浴室。
【発明の詳細な説明】
【技術分野】
【０００１】
本発明は、純水を用いて洗浄することが出来る浴室（浴槽を含む）、及び浴室用洗浄装置に関するものである。
【背景技術】
【０００２】
一般に風呂を使った後は水を流して洗浄しているが、使用される水は水道水である。水道水にはカルシウムやマグネシウム等のミネラルが溶け込んでいる為に、水が蒸発した後では、これらのミネラルが残ってシミとなって発生する。
特に目地にはシミが多く発生し、該シミはタワシで擦っても取り除くことが出来ず、長年経つとシミが全面に付着して浴室全体が汚くなり、交換しなくてはならないといったことになる。また、浴室にはカビが発生し、その要因の１つにミネラル水分が影響している。
【０００３】
したがって、風呂上がりには内面に付着している水滴を全て拭き取らなくてはならず、非常に面倒で大変な作業となる。しかも、細かい目地に付着している水分を完全に拭き取ることは容易ではない。
このような水道水に含まれるミネラルにてシミが発生するのは浴室に限らず、自動車のボディも同じである。
【０００４】
特開２００９−８２８５４号に係る「純水生成ユニット及び純水洗車装置」は、ミネラルを除去した純水を使用する洗車装置である。
該洗車装置は、第１の洗車ユニットと純水噴出しユニットとを備えている。純水噴出しユニットには、純水生成ユニット内に収納されている純水生成装置及び純水を送水する加圧タンクと、純水を車体に向けて噴き出す噴射ノズルとを備えている。噴射ノズルを横パイプの先端に装着するとともに、横パイプを中央パイプと直交する方向に延設する。横パイプを、車体の上面に噴き付ける張出し長さの短い横パイプと車体の側面に噴き付ける張出し長さの長い横パイプとに形成して、車体全体に満遍なく噴き付けるように構成する。純水は、純水生成装置内で逆浸透圧をかけることによって生成する。
【０００５】
特開平９−２２６５３７号に係る「洗車方法及びシリカ除去システム」は、環境汚染を問題にすることなく洗車用水を改善でき、確実な洗車作業を実現できる洗車方法及びシリカ除去システムである。そこで、逆浸透膜法によって洗車用の原水からシリカを除去するシリカ除去装置と、シリカ除去装置から得られるＲＯ処理水を貯留する貯水槽とを備えている。
【特許文献１】特開２００９−８２８５４号に係る「純水生成ユニット及び純水洗車装置」
【特許文献２】特開平９−２２６５３７号に係る「洗車方法及びシリカ除去システム」
【発明の開示】
【発明が解決しようとする課題】
【０００６】
本発明は浴槽並びに浴室を洗浄するに当たって、カルシウムやマグネシウム等のミネラル分を少なくした純水を使用する。理想はミネラル分を全く含まない純水が適しているが、１００％除去することは容易でない。
本発明は純水を浴槽や直室表面に噴射する洗浄装置、並びに該洗浄装置を組付けた浴室を提供する。
【課題を解決するための手段】
【０００７】
本発明に係る洗浄装置は水道水からミネラル分を出来る限り除去した純水を噴射するノズルを備え、またエアーを噴射するノズルを備えている。
ところで、水道水のミネラル分を除去する具体的な手段は限定せず、最も簡単な方法としては、カートリッジを用い、このカートリッジを水道水が流れるようにすることで、ミネラル分はある程度除去される。
【０００８】
純水を噴射した後、浴室表面に付着した水滴（水分）を取り除く為に、エアーを噴射するノズルを備えている。その為にエアーポンプを有し、モーターで該エアーポンプを作動してノズルからエアーを噴射する。ここで、ノズルは純水を噴射したり、またエアーを噴射したりするように、１つで兼用するように構成することも可能である。
【０００９】
上記洗浄装置はハンドタイプで小型化して構成する場合、又は該洗浄装置を浴室の一部として組み込んだ構造とする場合もある。浴室に組み込んで構成する場合には、浴室天井に純水を噴射する複数のノズルを取付け、また、エアーを噴射するノズルを取付けている。
さらには、１個又は複数のノズルがその向きを変えて噴射することが出来るように構成する場合もあり、パイプに複数の小さいノズル穴を穿設して純水を噴射することも出来る。
【発明の効果】
【００１０】
本発明の洗浄装置は水道水からミネラル分を除去した純水を用い、ノズルから純水を噴射することで浴槽並びに浴室表面に付着している水道水を洗い流すことが出来る。そして、洗い流した後でエアーを噴射して水切りを行うならば、浴槽並びに浴室表面にミネラル分が残ることは殆どない。したがって、浴室表面、特に目地部にシミやカビが発生して汚れることはなく、何時までも奇麗な浴室として維持することが出来る。
【００１１】
洗浄装置を浴室に組み込むならば、ボタン１つで操作することが出来る。すなわち、天井に配置したノズルから純水が噴射して表面に付着している水道水を洗い流し、その後、エアーを噴射して水切りが行われる。そこで、入浴後に操作すれば、自動的に浴室並びに浴槽が奇麗に洗浄される。
【図面の簡単な説明】
【００１２】
【図１】洗浄装置を示す実施例。
【図２】洗浄装置の具体的な内部構造。
【図３】純水生成器と洗浄装置を繋いでいる実施例。
【図４】純水とエアーの切替え部の具体例。
【図５】浴室天井に噴射ノズルを取付けた場合。
【図６】浴室天井に配管したパイプのノズルから純水及びエアーが噴射するように構成した実施例。
【発明を実施するための形態】
【００１３】
図１は本発明に係る洗浄装置１を示す実施例であり、同図に示す洗浄装置１はハンドタイプとして構成し、手に握って付着した水道水を洗い流すことが出来る。ところで、同図の２は持ち手、３は噴射ノズル、４は供給ホースをそれぞれ表している。
洗浄装置１はポンプを内蔵し、該ポンプはモーターによって駆動することが出来るように構成している。モーターは筒状の持ち手２の内部に収容され、持ち手２の表面に設けているスイッチ１６を操作して該モーターは作動する。
【００１４】
ポンプはピストン式とし、ピストンがシリンダー内を前後方向にスライドすることで、上記供給ホース４から純水を吸い込んで先端の噴射ノズル３から噴射することが出来る。噴射ノズル３を適当な方向に向けることで、水槽並びに浴室表面に付着している水道水を洗い流し、しいては水道水とともに含まれているカルシウムやマグネシウムなどのミネラル分を洗い流すことが出来る。
【００１５】
そして、この洗浄装置１は、切換え部を切り換えることで、純水ではなくエアーを噴射することが出来る構造としている。この場合、上記供給ホース４にはエアーが流れ、ピストンポンプによって、圧縮されたエアーが高速で噴射することが出来、エアーを噴射ノズル３から噴射するならば、付着している純水の水切りが行われる。
上記持ち手２の上端にはシリンダー５ａが取着され、該シリンダー５ａの先端には外径の小さいシリンダー５ｂを連続して設けている。
【００１６】
図２は本発明の洗浄装置１の内部構造であり、シリンダー５ｂには純水が供給される供給ホース４が接続され、ピストン６はシリンダー５ｂ内を往復動して純水を噴射ノズル３から噴射することが出来る。
ここで、ピストン６はシリンダー５ｂのピストン穴１９に嵌り、シリンダー５ａのスライダー穴１７に収容されているスライダー７に連結しており、スライダー７の往復動によって上記ピストン６も往復動することが出来る。
【００１７】
ピストン６の後端にはツバ８が形成され、該ツバ８はスライダー７のネジ穴１８に嵌入してネジ止めされている。スライダー７のスライド運動（往復動）はカムリング９に起立する偏心軸１０の回転によって行われるが、カムリング９はモーター１１の主軸１２に取り付けられている。該モーターの主軸１２が回転するならば、偏心軸１０は半径ａにて主軸１２を中心として回転し、スライダー７には紙面に対して垂直方向に偏心軸１０が嵌るガイド溝が形成されている。
したがって、スライダー７は偏心距離ａの２倍の長さでもって前後方向にスライドし、スライダー７に連結しているピストン６は往復動を行う。また、モーターの回転をスライド往復動に変換する機構として図２に示す場合に限らず、エンジンのピストン運動とクランク軸の回転に採用されている、クランク機構を用いることも出来る。
【００１８】
本発明の洗浄装置１はピストン６の往復動によって純水を噴射ノズル３から噴射する。ピストン６が後退するならば先端に配置している弁１４にてピストン穴１９は閉じられ、ピストン穴１２は真空化して供給ホース４から純水が吸い上げられ、シリンダー５ｂに設けてピストン穴１２に連通している供給穴１３から、該ピストン穴１２に純水は流入する。ピストン穴１２の先端にはコイルバネのバネ力が付勢されて配置している弁１４はピストン穴１２の先端を閉じている。
【００１９】
そして、ピストン６が前進して供給口１３を閉ざす場合には、シリンダー５ｂに流れ込んだ純水は供給ホース４に戻ることは出来ず、噴射ノズル３から噴射する。上記弁１４はコイルバネ１５を圧縮して先端側へ押圧されてピストン穴１２は開口し、純水は勢いよく噴射する。
【００２０】
ピストン６が往復動することで供給口１３を開閉するならば、それに伴って純水は断続的にピストン穴１２に流れ込み、該純水は噴射ノズル３から断続的に噴射する。
持ち手２を握って支持した洗浄装置１は、噴射ノズル３を適当な方向に向けることが出来、該噴射ノズル３から噴射する純水を浴槽並びに浴室内面に吹き付けることが出来る。純水を吹き付けることで、表面に付着している水道水は洗い流される。
【００２１】
図３は純水生成器２０を上記洗浄装置１に接続した場合の実施例である。純水生成器２０には色々のタイプのものが市販されており、その為に具体的な内部構造に関しては説明を省略する。したがって、本発明では純水生成器２０の型式及びその構造に関しては特に限定しないことにする。
純水生成器２０には水道管から導かれる水道水ホース２１が連結し、また純水生成器２０にて生成された純水は純水ホース２２を流れて洗浄装置１へ導かれる。そして、途中には切替え部２３を設けている。
【００２２】
図４は純水とエアーの切替え部２３を示す具体例である。供給ホース４から切替え部２３を介在して純水ホース２２とエアーホース２４が延びており、純水ホース２２は図３に示したように純水生成器２０に接続している。切替え部２３にはツマミ２５を有し、該ツマミ２５を回転することで、供給ホース４へ純水又はエアーを供給することが出来る。最初は純水を噴射して浴槽や浴室表面に付着している水道水を洗い流し、その後で、ツマミを回転してエアーを噴射する。噴射するエアーで付着している純水の水切りが行われる。
【００２３】
ところで、純水生成器２０を設置する場所は特に限定しないが、浴室に前以て備える構造とすることも可能である。開閉出来る扉を取付け、浴室とは切り離した別の収容空間を設けて配置する。そして、純水生成器２０から延びる純水ホース２２の先端接続口を切替え部２３と共に浴室壁面に設け、洗浄装置１を必要とする場合に、該接続口に供給ホース４を接続して使うようにする。
【００２４】
一方、浴室の天井に噴射ノズルを取付けて構成することも出来る。該噴射ノズルは１つ又は複数個取付け、浴室表面全体に吹き付けることが出来るようにしている。この場合も、具体的な構造は前記図１、図２に示したハンドタイプの洗浄装置とは異なるが、ポンプにて純水を噴射し、必要に応じて噴射する方向が変化するように噴射ノズルが回転するように構成することも出来る。
図５は浴室２６の天井２７に噴射ノズル２８を取付け、該噴射ノズル２８から純水が噴射している状態を表している。
【００２５】
浴室天井には１個又は複数個の噴射ノズル２８が取付けられ、この噴射ノズル２８から純水が外方向に向いて噴射し、噴射した純水は浴室表面に当たって流れ落ち、表面に付着しているミネラル分並びにその他の不純物が洗い流される。
図６は天井パイプ２９に複数の小さいノズル３０，３０・・・を設け、これらノズル３０，３０・・・から純水を噴射する実施例であり、（ａ）は正面図、（ｂ）は（ａ）のＡ−Ａ断面図を表している。
【００２６】
上記天井パイプ２９は浴室天井２７の周囲に配管されている。したがって、天井パイプ２９に設けたノズル３０，３０・・・から表面を向いて噴射した純水は浴室表面３１，３１・・・を流れて床面３２に落ちることが出来る。この際に、表面３１，３１・・・に付着している水道水並びに不純物が同時に洗い流され、床面３２に流れ落ちた純水は排水口から流出して排水される。しかし、この場合、床面全体を隅々まで洗い流すことは容易でないことから、床面３２の縁にも床面パイプ３３，３３・・・を配管することもある。
【００２７】
そして、純水を噴射した後は、エアーを噴射して表面３１，３１・・・及び床面３２の水切りを行う。天井パイプ２９及び床パイプ３３に設けたノズル３０，３０・・・から噴射する純水は純水生成器によって生成され、ポンプを介してノズル３０，３０・・・から噴射することが出来る。
ここで、天井パイプ２９及び床面パイプ３３へ純水を送る手段、及びエアーを送る手段は限定しない。
【符号の説明】
【００２８】
１   洗浄装置
２   持ち手
３   噴射ノズル
４   供給ホース
５   シリンダー
６   ピストン
７   スライダー
８   ツバ
９   カムリング
10   偏心軸
11   モーター
12   主軸
13   供給穴
14   弁
15   コイルバネ
16   スイッチ
17   スライダー穴
18   ネジ穴
19   ピストン穴
20  純水生成器
21  水道水ホース
22  純水ホース
23  切替え部
24  エアーホース
25  ツマミ
26  浴室
27  天井
28  噴射ノズル
29  天井パイプ
30  ノズル
31  表面
32  床面
33  床面パイプ
【図１】
2020014631.tif 000003
【図２】
2020014631.tif 000004
【図３】
2020014631.tif 000005
【図４】
2020014631.tif 000006
【図５】
2020014631.tif 000007
【図６】
2020014631.tif 000008